【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
分析フレームの音響信号が帯域制限信号であるかどうかを決定し、
音響信号が帯域制限信号であるならば、サブサンプルされた疎コードブックを使用して励起波形を発生させ、
音響信号が帯域制限信号でないならば、疎コードブックを使用して励起波形を発生させることを含み、疎コードブックは一組の位置に制限された複数のパルスを含み、サブサンプルされた疎コードブックは位置の部分集合に制限された複数のパルスを含む励起波形を形成する方法。
【請求項２】
分析フレームの音響信号が帯域制限信号であるかどうかを決定することが、
音響信号の音声の活動レベルを決定し、
音響信号が帯域制限信号であるかどうかを決定するために音声の活動レベルを使用することを含む請求項１の方法。
【請求項３】
分析フレームの音響信号が帯域制限信号であるかどうかを決定することが、
音響信号の低周波数帯域のエネルギーレベルを音響信号の高周波数帯域のエネルギーレベルと比較し、
音響信号の低周波数帯域のエネルギーレベルが音響信号の高周波数帯域のエネルギーレベルより高いならば、音響信号が帯域制限信号であると決定することを含む請求項１の方法。
【請求項４】
分析フレームの音響信号が帯域制限信号であるかどうかを決定することが、
音響信号についてゼロ交差レートを決定し、
ゼロ交差レートが低いならば、音響信号が帯域制限信号であると決定することを含む請求項１の方法。
【請求項５】
分析フレームの音響信号が帯域制限信号であるかどうかを決定することが、
音響信号の低周波数帯域の周期性を決定し、
音響信号の低周波数帯域の周期性が高いならば、音響信号が帯域制限信号であると決定することを含む請求項１の方法。
【請求項６】
分析フレームの音響信号が帯域制限信号であるかどうかを決定することが、
重要な帯域制限成分について音響信号のスペクトル内容を分析することを含む請求項１の方法。
【請求項７】
メモリ要素と、
メモリ要素に記憶された一組の指示を実行するように構成された処理要素とを含み、一組の指示が、
分析フレームの音響信号が帯域制限信号であるかどうか決定し、
音響信号が帯域制限信号であるならば励起波形を発生させるようにサブサンプルされた疎コードブックを使用し、
音響信号が帯域制限信号でないならば励起波形を発生させるように疎コードブックを使用し、疎コードブックは一組の位置に制限された複数のパルスを含み、サブサンプルされた疎コードブックは位置の部分集合に制限された複数のパルスを含む励起波形を形成する装置。
【請求項８】
装置が広帯域ボコーダである請求項７の装置。
【請求項９】
装置が狭帯域ボコーダである請求項7の装置。
【請求項１０】
装置が可変レートボコーダである請求項7の装置。
【請求項１１】
装置が固定レートボコーダである請求項7の装置。
【請求項１２】
分析フレームの音響信号が帯域制限信号であるかどうか決定する手段と、
音響信号が帯域制限信号であるならば、励起波形を発生させるようにサブサンプルされた疎コードブックを使用する手段と、
音響信号が帯域制限信号でないならば、励起波形を発生させるように疎コードブックを使用する手段とを含み、疎コードブックは一組の位置に制限された複数のパルスを含み、サブサンプルされた疎コードブックは位置の部分集合に制限された複数のパルスを含む励起波形を形成する装置。
【請求項１３】
装置が広帯域ボコーダである請求項12の装置。
【請求項１４】
励起波形を表すために使用されるビットの数を減少させる方法であって、
音響信号の周波数特性を決定し、
サブサンプリングが音響信号の知覚品質を損なわれないことを周波数特性が示すならば、疎コードブックからサブサンプルされた疎コードブック波形を発生させ、疎コードブックは一組の位置に制限された複数のパルスを含み、サブサンプルされた疎コードブックは位置の部分集合に制限された複数のパルスを含み、
サブサンプルされた疎コードブック波形を使用して、疎コードブックからの波形よりもむしろ励起波形を表すことを含む方法。
【請求項１５】
励起波形を表すために使用されるビットの数を減少させる装置であって、
メモリ要素と、
メモリ要素に記憶された一組の指示を実行するように構成された処理要素とを含み、一組の指示が、
音響信号の周波数特性を決定し、
サブサンプリングが音響信号の知覚品質を損なわれないことを周波数特性が示すならば、疎コードブックからサブサンプルされた疎コードブック波形を発生させ、疎コードブックは一組の位置に制限された複数のパルスを含み、サブサンプルされた疎コードブックは位置の部分集合に制限された複数のパルスを含み、
サブサンプルされた疎コードブック波形を使用して、疎コードブックからの波形よりもむしろ励起波形を表す装置。
【請求項１６】
励起波形を表すために使用されるビットの数を減少させる装置であって、
音響信号の周波数特性を決定する手段と、
サブサンプリングが音響信号の知覚品質を損なわないことを周波数特性が示すならば、疎コードブックからサブサンプルされた疎コードブック波形を発生させる手段と、
サブサンプルされた疎コードブック波形を使用して、疎コードブックからの波形よりもむしろ励起波形を表す手段とを含み、
疎コードブックは一組の位置に制限された複数のパルスを含み、サブサンプルされた疎コードブックは位置の部分集合に制限された複数のパルスを含む装置。
【請求項１７】
装置が広帯域ボコーダである請求項16の装置。
【請求項１８】
装置が狭帯域ボコーダである請求項16の装置。
【請求項１９】
装置が可変レートボコーダである請求項16の装置。
【請求項２０】
装置が固定レートボコーダである請求項16の装置。
【請求項２１】
疎コードブックが一組の許されているパルス位置にパルスを含み、疎コードブックからサブサンプルされた疎コードブックを発生させる方法であって、
音響信号の周波数特性を分析し、
音響信号の周波数特性に従って、疎コードブックの一組の許されているパルス位置から許されているパルス位置の部分集合をデシメイトして、サブサンプルされた疎コードブックを発生させることを含む方法。
【請求項２２】
疎コードブックが一組の許されているパルス位置にパルスを含み、疎コードブックからサブサンプルされた疎コードブックを発生させる装置であって、
メモリ要素と、
メモリ要素に記憶された一組の指示を実行するように構成された処理要素とを含み、一組の指示が、
音響信号の周波数特性を分析し、
音響信号の周波数特性に従って、疎コードブックの一組の許されているパルス位置から許されているパルス位置の部分集合をデシメイトして、サブサンプルされた疎コードブックを発生させる装置。
【請求項２３】
疎コードブックが一組の許されているパルス位置にパルスを含み、疎コードブックからサブサンプルされた疎コードブックを発生させる装置であって、
音響信号の周波数特性を分析する手段と、
音響信号の周波数特性に従って、疎コードブックの一組の許されているパルス位置から許されているパルス位置の部分集合をデシメイトして、サブサンプルされた疎コードブックを発生させる手段とを含む装置。
【請求項２４】
装置が広帯域ボコーダである請求項23の装置。
【請求項２５】
装置が狭帯域ボコーダである請求項23の装置。
【請求項２６】
装置が可変レートボコーダである請求項23の装置。
【請求項２７】
装置が固定レートボコーダである請求項23の装置。
【請求項２８】
音響信号のLPC係数を決定するように構成された線形予測コード化(LPC)ユニットと、
音響信号が帯域制限されているかどうかを決定するように構成された周波数分析ユニットと、
LPC係数を受けて、LPC係数を量子化するように構成された量子化器ユニットと、
音響信号が帯域制限されているかどうかを考慮している周波数分析ユニットからの決定を受け、それに従って、サブサンプルされた疎コードブックを実行するように構成され、疎コードブックは一組の位置に制限された複数のパルスを含み、サブサンプルされた疎コードブックは位置の部分集合に制限された複数のパルスを含む励起パラメタ発生器とを含む音声符号化器。
【請求項２９】
量子化器ユニットは、音響信号が帯域制限されているかどうかを考慮している周波数分析ユニットからの決定を受け、それに従って量子化方式を更新するようにさらに構成された、請求項28の音声符号化器。
【請求項３０】
量子化器ユニットは、サブサンプルされた疎コードブックの実行を考慮している励起パラメタ発生器からの情報を受け、それに従って量子化方式を更新するようにさらに構成された、請求項28の音声符号化器。
【請求項３１】
音響信号の少なくとも１つのスペクトル内容、音声の活動およびゼロ交差レートを決定し、
音響信号の少なくとも１つのスペクトル内容、音声の活動およびゼロ交差レートの決定に基づいて、サブサンプルされた疎コードブックを発生させることをさらに含む請求項１の方法。
【請求項３２】
サブサンプルされた疎コードブックを発生させることが、疎コードブックからのいくつかのパルス位置を除外することを含む請求項３１の方法。
【請求項３３】
確率的な励起波形コードブックを通して検索からある候補励起波形を除外することをさらに含む請求項１の方法。
【請求項３４】
音響信号が帯域制限される場合、音声コードブックから励起波形を表すために使用されたビットを、他の音声符号化パラメタを表すために再配分することをさらに含む請求項１の方法。
【請求項３５】
音声符号化パラメタが線形予測コード化（ＬＰＣ）フィルタの係数を含む請求項３４の方法。
【手続補正２】
【補正対象書類名】明細書
【補正対象項目名】００４５
【補正方法】変更
【補正の内容】
【００４５】
音声活動の分類を実行する1つの技術は信号のゼロ交差レートを解釈することである。ゼロ交差レートは音声フレームあたりの音声信号における信号変化の数である。有声音声ではゼロ交差レートは低い。無声音声ではゼロ交差レートは高い。“低い”および“高い”は予め決定された閾値量、または可変閾値量により定義することができる。この技術に基づいて、低いゼロ交差レートは有声音声が分析フレームに存在することを意味し、それは分析フレームがローパス信号かバンドパス信号を含むことを意味する。
音声の活動の分類を実行するための別の技術は、低周波数帯域(例えば、0-2kHz)と高周波数帯域(例えば、2kHz-4kHz)の間でエネルギー比較を実行することである。各帯域のエネルギーが互いに比較される。一般に、有声音声は低い帯域でエネルギーを集結し、無声音声は高い帯域でエネルギーを集結する。したがって、帯域エネルギー比は音声信号の本質に依存している１つの高いか低いかに斜行するだろう。